(57)【要約】【課題】調整作業が不要且つ任意の厚さの帳票を同一位置に積載可能な羽根車装置が望まれていた。【解決手段】任意の厚さの帳票を回転搬送するための羽根車を含む羽根車装置において、カム面の形成されているカムが嵌合される固定軸と、固定軸の周囲に所定間隔で配置され、該固定軸の周りに回動する複数の帳票挟持部とを羽根車に設ける。各帳票挟持部は、帳票が導入される複数の羽根部材と、カム面に当接して突出及び後退可能な突出部とを含み、帳票挟持部が所定量回動すると、突出部は、カム面に基づき導入された帳票を挟持すべく羽根部材へ近接する方向へ突出する。【選択図】        図１
2008285287.tif 000002
【特許請求の範囲】
【請求項１】
任意の厚さの帳票を回転搬送するための羽根車を含む羽根車装置であって、
前記羽根車は、
カム面の形成されているカムが嵌合される固定軸と、
前記固定軸の周囲に所定間隔で配置され、該固定軸の周りに回動する複数の帳票挟持部とを備え、
各前記帳票挟持部は、
前記帳票が導入される複数の羽根部材と、
前記カム面に当接して突出及び後退可能な複数の突出部とを含み、
前記帳票挟持部が所定量回動すると、前記突出部は、前記カム面に基づき導入された前記帳票を挟持すべく前記羽根部材へ近接する方向へ突出する
ことを特徴とする羽根車装置。
【請求項２】
前記帳票挟持部において、
前記突出部は、前記カム面との当接部に生じる当接力に基づき、対応する前記羽根部材へ近接する方向へ突出し、前記帳票を該羽根部材との間に挟持する
ことを特徴とする請求項１記載の羽根車装置。
【請求項３】
前記羽根車において、
前記帳票挟持部が更に所定量回動すると、前記突出部は、前記カム面に基づき前記羽根部材から離間する方向へ後退し、
前記帳票挟持部は、前記帳票の挟持を解除して、該帳票を下方に落とす
ことを特徴とする請求項１記載の羽根車装置。
【請求項４】
前記羽根車の下方に配置され、前記帳票挟持部から落下した前記帳票を収容する収容部を更に備えることを特徴とする請求項３記載の羽根車装置。
【請求項５】
前記カム面との当接部方向への弾性力を前記突出部に付与する弾性部材を更に備え、
前記突出部は、前記弾性力に基づき、対応する前記羽根部材から離間する方向へ後退する
ことを特徴とする請求項３記載の羽根車装置。
【発明の詳細な説明】
【技術分野】
【０００１】
本発明は、任意の厚さの帳票を所定の位置に積載可能な羽根車装置に関する。
【背景技術】
【０００２】
複数の帳票に対して順次分類処理を行って、各帳票をそれぞれの分類に対応した位置に積載する帳票処理装置がある。このような帳票処理装置では、従来、羽根車装置を利用して、各帳票の積載を行っている（下記特許文献１、２参照）。
【０００３】
図４は、従来の羽根車装置の構成を示す説明図である。
羽根車装置９０は、図４に示されるように、羽根車９１及び収納部９２からなる。
【０００４】
羽根車９１は、複数枚の羽根９３を周方向に一定の間隔で配列し、軸９４を中心に、矢印Ａで示される方向に回転する。各羽根９３は、図４に示されるように、最外側端部において開いた形状を有すると共に、相互間に帳票を収容するための収容溝９５を形成している。矢印Ｂで示される接線方向から羽根車９１に投入された帳票は、収容溝９５ａに挿入され、前後の各羽根９３ａ及び９３ｂに挟持される。羽根車９１には、更にストッパ部材９６が設けられており、各収容溝９５内に挟持された帳票は、挟持状態を保持したまま、羽根車９１の回転に伴い回転搬送された後、ストッパ部材９６に当接すると、該挟持状態が解消されて落下する。落下した帳票は、羽根車９１の下部に備えられた収納部９２に順次積載して収納されることとなる。
【特許文献１】特開平９−３０１５７１号公報
【特許文献２】特許第３５７５７９６号
【発明の開示】
【発明が解決しようとする課題】
【０００５】
しかしながら、上記した従来の羽根車装置９０では、処理される帳票の厚さに応じて、
羽根車９１に配列する羽根９３の枚数及び間隔を調整しなければならず、面倒であった。また、厚さの異なる複数種の帳票が混在する場合、各厚さに対応して上記調整作業が施された複数の羽根車装置９０を、それぞれ設置しなければならず、異なる厚さの帳票を同一の収納部９２に積載することはできなかった。更に、上記した調整作業が適宜に実施されなかった場合、投入された帳票が収納部９２へと落下せず、羽根車９１内に残留してしまうという問題があった。
【０００６】
したがって、調整作業が不要且つ任意の厚さの帳票を同一位置に積載可能な羽根車装置が望まれていた。
【課題を解決するための手段】
【０００７】
本発明は、以上の点を解決するために、次の構成を採用する。
【０００８】
〈構成〉
本発明に係る羽根車装置は、任意の厚さの帳票を回転搬送するための羽根車を含み、羽根車は、カム面の形成されているカムが嵌合される固定軸と、固定軸の周囲に所定間隔で配置され、該固定軸の周りに回動する複数の帳票挟持部とを備え、各帳票挟持部は、帳票が導入される複数の羽根部材と、カム面に当接して突出及び後退可能な複数の突出部とを含み、帳票挟持部が所定量回動すると、突出部は、カム面に基づき導入された帳票を挟持すべく羽根部材へ近接する方向へ突出することを特徴とする。
【０００９】
また、本発明に係る羽根車装置において、帳票挟持部が更に所定量回動すると、突出部は、カム面に基づき羽根部材から離間する方向へ後退し、帳票挟持部は、帳票の挟持を解除して、該帳票を下方に落とすことを特徴とする。
【発明の効果】
【００１０】
本発明の羽根車装置によれば、羽根車において、固定軸に嵌合するカムと、該カムに当接する突出部とを設けることにより、任意の厚さの帳票を突出部と羽根部材との間に確実に挟持して回転搬送可能となる。したがって、羽根車の調整作業が不要となり、作業が効率化される。また、帳票の挟持状態を解除可能となるので、各種帳票が混在する場合も、帳票を収納部に確実に落下させて収納可能となる。したがって、帳票の羽根車内への残留が防止される。
【発明を実施するための最良の形態】
【００１１】
以下、本発明の実施形態を、図を用いて詳細に説明する。ここでは、本発明に係る羽根車装置を、帳票処理装置に適用した場合を例に、説明を行う。
【実施例】
【００１２】
図３は、実施例の羽根車装置を含む帳票処理装置の概略構成図である。
この帳票処理装置１を利用することにより、各帳票から読み取った情報に基づいて帳票の分類を行って、それぞれの帳票を対応する位置に積載することができる。
【００１３】
帳票処理装置１は、本実施例では、図３に示されるように、帳票載置部２、分離搬送部３、読取認識部４、分類搬送部５、投入部６−１〜６−５及び羽根車装置１０−１〜１０−５を含んで構成される。
【００１４】
帳票載置部２は、種々の厚さの帳票を複数部載置可能な載置部である。
分離搬送部３は、帳票載置部２に載置された複数部の帳票の束から、各帳票を一部ずつ分離して、読取認識部４に順次搬送する。
【００１５】
読取認識部４には、本実施例では、スキャナが設置されている。読取認識部４は、分離搬送部３により搬送された各帳票から、記載された情報を読み取って、記載情報として認識する。認識された記載情報は、図示されない分類制御部に送られる。
分類搬送部５は、分類制御部の制御に基づいて、各帳票を読取認識部４から何れかの投入部６−１〜６−５まで搬送する。
【００１６】
投入部６−１〜６−５と羽根車装置１０−１〜１０−５とは、それぞれひとつずつ対応して配置されている。以後、これら各部をそれぞれ総称する場合には、符号のみを示すこととする。
【００１７】
投入部６は、羽根車装置１０に対応して配置されており、分類搬送部５により搬送された帳票を、対応する羽根車装置１０に投入する。
羽根車装置１０は、羽根車１１及び収納部１２を備えている。収納部１２は羽根車１１の下部に設置され、投入部６により羽根車１１に投入された帳票は、羽根車１１を介して、収納部１２内に積載して収納される。
【００１８】
帳票処理装置１において、分類制御部には、所定の分類情報が予め設定されている。分類制御部は、読取認識部４から各帳票の記載情報を受けると、該記載情報と設定されている分類情報とに基づいて、それぞれの帳票を分類する。そして、分類制御部は、この分類に基づいて、羽根車装置１０−１〜１０−５の何れかを選択して、選択された羽根車装置１０の収納部１２に該帳票を収納すべく、分類搬送部５の制御を行う。分類搬送部５は、この制御に基づいて、選択された羽根車装置１０に対応する投入部６まで、該帳票を搬送する。
【００１９】
続いて、羽根車装置１０の構成について、説明する。
図１は、本発明の実施例に係る羽根車装置の構成を示す説明図である。
【００２０】
羽根車装置１０は、図１に示されるように、羽根車１１及び収納部１２を備えている。
【００２１】
収納部１２は、羽根車１１の下部に設置され、羽根車１１から落下した帳票を積載して収納する。
【００２２】
羽根車１１は、図１に示されるように、固定軸１３及び回動部１４を有し、帳票処理装置１における帳票処理時において、矢印Ａで示される方向に回転する。
【００２３】
固定軸１３は、羽根車１１の中心部に固定され、周部にカム１５が嵌合される。カム１５は、その内周部から外周部までの距離、即ち外径が異なる２種類の円弧を繋いだ形状を有する。
【００２４】
図２は、羽根車の要部断面図である。
図２の上部は、カム１５の外径が小さい小径カム面に対応しており、図２の下部は、カム１５の外径が大きい大径カム面に対応している。
【００２５】
回動部１４は、固定軸１３の周囲に配置され、図１において矢印Ａにより示される方向に回動する部分である。この回動部１４は、図２に示されるように、互いに固定された外周部１６及び内壁部１７を有している。回動部１４には、更に、図１に示されるように、同一数の突出部１８及びＬ字状の羽根部材１９が、全周にわたってそれぞれ一定の間隔で交互に配置されている。また、回動部１４には、図示しないモータが連結され、このモータの駆動を受けて、回動部１４は、各突出部１８及び羽根部材１９と共に、固定軸１３を中心に矢印Ａ（図１）方向への回動を行う。
【００２６】
突出部１８は、図１及び図２に示されるように、回動部１４の内部に嵌入されている。各突出部１８は、クランプ爪２０、軸受２１及び球体２２を備え、軸受２１の両側面２１ａを回動部１４の内壁部１７内に、固定軸１３の径方向へ摺動可能に配置される。
【００２７】
回動部１４の外周部１６内面には、各突出部１８の配置位置において、対をなすバネ部材２３がその一端を当接されている。このバネ部材２３は、収縮状態で、他端を軸受２１の平坦面２１ｂ上に当接され、該軸受２１を固定軸１３方向へ常時付勢している。
軸受２１の平坦面２１ｂ上には、更に、上記した各バネ部材２３間に、クランプ爪２０が固定されている。
【００２８】
また、軸受２１は、凹状面２１ｃを有し、この凹状面２１ｃの内部に、球体２２を回転可能に支持する。
球体２２は、カム１５の外周カム面に当接して配置される。この球体２２は、軸受２１を介して付与されるバネ部材２３からの弾性力と、カム１５との当接部において生じる当接力とにより、カム１５との当接状態を維持したまま、回動部１４の回動に伴い転動する。
【００２９】
カム１５は、その形状に基づき、外周カム面に当接して転動する球体２２に対して、固定軸１３の径方向への周期的な運動を与える。即ち、カム１５及び球体２２の当接部が大径カム面へと変動し、カム１５の外径が大きくなると、該当接部において生じるカム１５及び球体２２の当接力が増大し、突出部１８は、バネ部材２３からの弾性力に抗して摺動する。そして、クランプ爪２０が回動部１４の外部に突出して、突出部１８は突出状態となる。また、突出部１８の突出状態において、カム１５及び球体２２の当接部が小径カム面へと変動し、カム１５の外径が小さくなると、該当接部に生じる当接力は減少し、突出部１８は、バネ部材２３からの弾性力に基づき摺動する。そして、クランプ爪２０が回動部１４の内部に嵌入し、突出部１８は非突出状態となる。
【００３０】
羽根部材１９は、一端が折れ曲がった鉤型形状を有し、その鉤部分１９ａが回動部１４に埋設されている。羽根部材１９の回動部１４からの突出部分１９ｂは、羽根車１１の回転方向後方に位置する突出部１８のクランプ爪２０と共に、帳票挟持部を構成する。
【００３１】
例えば、突出部１８の突出状態において、クランプ爪２０の先端部分２０ａは、回動部１４の外部に突出して、対応する羽根部材１９の突出部分１９ｂに当接している。このとき、該羽根部材１９と回動部１４との間に帳票が挿入されていた場合、該帳票は、羽根部材１９の突出部分１９ｂとクランプ爪２０の先端部分２０ａとの間に挟持されることとなる。
【００３２】
次に、本発明の羽根車装置１０の動作について、説明する。
【００３３】
帳票処理装置１における帳票処理の開始に伴い、羽根車装置１０において羽根車１１の回動部１４に連結されたモータが駆動を開始すると、羽根車１１は、固定軸１３を中心とする回転動作を開始する。回動部１４は、各突出部１８及び羽根部材１９と共に、矢印Ａ（図１）方向に回動する。
【００３４】
続いて、帳票処理装置１において、各帳票の処理が順次実施され、投入部６が、矢印Ｂ（図１）で示される羽根車１１の接線方向に、帳票を投入する。投入された帳票は、２つの羽根部材１９間に挿入され、羽根車１１の回転方向（矢印Ａ）前方の羽根部材１９と回動部１４との間に取り込まれる。ここで、帳票が挿入された各羽根部材１９間に位置する突出部１８、即ち近隣突出部は、カム１５の小径カム面に球体２２が当接しているため、帳票の挿入時において、非突出状態である。
【００３５】
投入部６により帳票が投入された後、羽根車１１は、帳票を取り込んだ状態で回転を続ける。そして、所定量回転が行われると、カム１５の大径カム面への変動に伴い、帳票の近隣突出部は、カム１５及び球体２２の当接部に生じる当接力に基づき、バネ部材２３からの弾性力に抗して、クランプ爪２０の先端部分２０ａを回動部１４の外部に突出させて、突出状態となる。これにより、帳票がクランプ爪２０の先端部分２０ａと羽根部材１９の突出部分１９ｂとの間に挟持される。
【００３６】
羽根車１１は、突出部１８の突出状態、即ち帳票の挟持状態を保持したまま、更に回転を続ける。そして、羽根車１１が固定軸１３を中心として半回転すると、カム１５の小径カム面への変動に伴い、突出部１８の突出状態は解除される。即ち、カム１５及び球体２２の当接部における当接力の減少に伴い、突出部１８は、バネ部材２３からの弾性力に基づき、羽根部材１９との離間方向へと後退し、クランプ爪２０は、回動部１４の内部へと嵌入する。このように、突出部１８の突出状態が解除され、突出部１８が非突出状態となると、突出部１８及び羽根部材１９による帳票の挟持状態も解除される。この挟持状態の解除に伴い、帳票は、図１において矢印Ｃで示される方向へと落下する。落下した帳票は、収納部１２内部に積載して収納される。
【００３７】
上記のように、羽根車装置１０において、羽根車１１に投入された帳票は、突出部１８及び羽根部材１９により挟持されて回転搬送された後、挟持状態の解除に伴い、収納部１２へと落下して収納される。
【００３８】
以上のように、本実施例の羽根車装置は、羽根車において、固定軸に嵌合するカムと、該カムに当接する突出部とを設けることにより、任意の厚さの帳票を突出部と羽根部材との間に挟持して回転搬送可能となる。したがって、帳票処理装置における帳票処理の開始に先立って、各羽根車を調整する必要がなくなり、作業が効率化される。また、羽根車において、羽根部材との離間方向に突出部を付勢するバネ部材を設けることにより、突出部の突出状態及び帳票の挟持状態を解除可能となるので、帳票を収納部に確実に落下させて収納可能となる。したがって、帳票の羽根車内への残留が回避される。また、異なる帳票を同一の収納部に収納可能となるので、適用範囲が拡大される。
【図面の簡単な説明】
【００３９】
【図１】本発明の実施例に係る羽根車装置の構成を示す説明図である。
【図２】羽根車の要部断面図である。
【図３】実施例の羽根車装置を含む帳票処理装置の概略構成図である。
【図４】従来の羽根車装置の構成を示す説明図である。
【符号の説明】
【００４０】
１０  羽根車装置
１１  羽根車
１２  収納部
１３  固定軸
１４  回動部
１５  カム
１８  突出部
１９  羽根部材
２０  クランプ爪
２１  軸受
２２  球体
【図１】
2008285287.tif 000003
【図２】
2008285287.tif 000004
【図３】
2008285287.tif 000005
【図４】
2008285287.tif 000006